(57)【要約】本開示は、設備を制御するための方法及び装置に関する。本方法は、住宅制御装置から通知メッセージを受信し、通知メッセージは住宅制御装置のアドレス情報を含む情報項目を含み、対象物を処理するように構成された住宅設備から対象物品質データを受信し、対象物品質データは住宅設備により対象物の品質測定を行うことによって得られ、住宅設備は住宅制御装置にバインドされた住宅設備又は住宅制御装置がある特定の地域に位置する住宅設備を含み、対象物品質データが閾値より低いと判断したとき、住宅制御装置のアドレス情報に応じて設備制御プロンプト情報を住宅制御装置に送信し、設備制御プロンプト情報は、住宅制御装置のユーザに、対象物を処理するためにユーザに属する住宅設備を起動するように促すよう構成されている。本開示では、対象物の品質状態に応じて住宅設備を使用でき、住宅設備の有効利用を実現できる。
2016540460.tif 000002
【特許請求の範囲】
【請求項１】
住宅制御装置から情報項目として前記住宅制御装置のアドレス情報を含む通知メッセージを受信するステップと、
対象物を処理するための住宅設備から対象物品質データを受信するステップであって、前記対象物品質データは前記住宅設備により前記対象物の品質測定を行うことによって得られ、前記住宅設備は前記住宅制御装置にバインドされた住宅設備又は前記住宅制御装置がある特定の地域に位置する住宅設備を含むステップと、
前記対象物品質データが閾値より低いと判断したとき、前記住宅制御装置のアドレス情報に応じて設備制御プロンプト情報を前記住宅制御装置に送信するステップであって、前記設備制御プロンプト情報は、前記住宅制御装置のユーザに、前記ユーザに属する対象物を処理するための住宅設備を起動するように促すよう構成されているステップと、
を含む、設備制御方法。
【請求項２】
前記対象物を処理するための住宅設備は、空気を浄化する空気清浄機、又は水を浄化する浄水器である、請求項１に記載の方法。
【請求項３】
前記通知メッセージの情報項目は、更に、
前記住宅制御装置のユーザの家庭の地理的位置情報、及び前記家庭の住宅設備の設備タイプを含み、
前記対象物品質データが閾値より低いと判断することは、
複数の対象物品質データを取得するステップであって、前記複数の対象物品質データに対応する前記住宅設備の設備タイプは同一であり、前記住宅設備に対応する前記家庭の地理的位置情報は前記家庭が特定の地域にあることを示すステップと、
前記複数の対象物品質データに応じて前記特定の地域に対応する地域品質データを取得するステップと、
前記地域品質データが前記閾値より低いことを判断するステップと、
を含む、請求項１に記載の方法。
【請求項４】
前記住宅制御装置のアドレス情報に応じて設備制御プロンプト情報を前記住宅制御装置に送信するステップは、
前記住宅制御装置のユーザの家庭が前記特定の地域にあり、且つ、前記住宅制御装置にバインドされた住宅設備がない場合において、前記地域品質データが前記閾値より低いとき、前記住宅制御装置のユーザに住宅設備の追加を促すように、前記住宅制御装置に設備制御プロンプト情報を送信するステップ
を含む、請求項３に記載の方法。
【請求項５】
前記対象物品質データが前記閾値より低いと判断したとき、更に、
前記住宅設備が前記設備制御命令に応じて制御されるように、前記住宅設備に設備制御命令を送信するステップ
を含む、請求項１に記載の方法。
【請求項６】
情報項目として住宅制御装置のアドレス情報を含む通知メッセージをクラウドサーバに送信するステップと、
前記アドレス情報に応じて前記クラウドサーバから送信された設備制御プロンプト情報を受信するステップであって、前記設備制御プロンプト情報は、住宅制御装置に対応するユーザに、前記ユーザに属する対象物を処理するための住宅設備を起動するように促すよう構成され、前記設備制御プロンプト情報は、前記住宅設備によって報告されるとともに前記クラウドサーバによって受信された対象物の対象物品質データが閾値より低いとき、前記クラウドサーバから送信され、前記対象物品質データを報告する前記住宅設備は、前記住宅制御装置にバインドされた住宅設備、又は前記住宅制御装置がある特定の地域に位置する他の住宅設備を含むステップと、
を含む、設備制御方法。
【請求項７】
前記通知メッセージをクラウドサーバに送信するステップは、
前記住宅制御装置が属するユーザの家庭の住宅設備から送信された前記住宅設備の設備タイプを含む設備情報及び前記家庭の地理的位置情報を前記通知メッセージに持たせて、前記クラウドサーバが前記地理的位置情報及び前記設備タイプに応じて、前記家庭がある特定の地域の地域品質データを取得し、前記地域品質データが前記閾値より低いとき、前記設備制御プロンプト情報を送信するステップ
を含む、請求項６に記載の方法。
【請求項８】
家庭識別子統合指示を受信し、前記家庭識別子統合指示に応じて、統合される個々の家庭識別子を取得するステップと、
統一家庭識別子として前記個々の家庭識別子の１つを使用し、前記クラウドサーバを前記個々の家庭識別子を前記統一家庭識別子に変更させるために、前記クラウドサーバに、前記統一家庭識別子を送信するステップと、
更に含む、請求項６に記載の方法。
【請求項９】
対象物の品質測定を行って前記対象物の対象物品質データを取得するステップと、
前記対象物品質データをクラウドサーバに送信して、前記クラウドサーバが前記対象物品質データが閾値より低いと判断するとき、前記住宅制御装置に設備制御プロンプト情報を、前記住宅制御装置からクラウドサーバに報告された通知メッセージに持たされたアドレス情報に応じて送信するステップであって、前記設備制御プロンプト情報は、前記住宅制御装置のユーザに、前記ユーザに属する前記対象物を処理するための住宅設備を起動するように促すよう構成され、前記住宅制御装置は、前記住宅設備にバインドされた前記住宅制御装置、又は前記住宅設備がある特定の地域に位置する他の住宅制御装置を含むステップと、
を含む、設備制御方法。
【請求項１０】
前記対象物品質データを前記クラウドサーバに送信した後、更に、
前記クラウドサーバから設備制御命令を受信するとともに、前記設備制御命令に応じて設備制御を行うステップ
を含む、請求項９に記載の方法。
【請求項１１】
前記対象物品質データを前記クラウドサーバに送信する前に、更に、
前記住宅制御装置を前記クラウドサーバに前記設備情報を送信させるように、前記設備情報を前記住宅制御装置に送信するステップを含み、
前記設備情報は、設備タイプ及び設備識別子を含む、
請求項９に記載の方法。
【請求項１２】
住宅制御装置から通知メッセージを受信するとともに、対象物を処理するための住宅設備から対象物品質データを受信するように構成されたデータ受信モジュールであって、前記通知メッセージは、前記住宅制御装置のアドレス情報を含み、前記対象物品質データは、前記住宅設備により前記対象物の品質測定を行うことによって取得され、前記住宅設備は、前記住宅制御装置にバインドされた住宅設備又は前記住宅制御装置がある特定の地域に位置する住宅設備を含む、データ受信モジュールと、
前記対象物品質データが閾値より低いと判断するとき、前記住宅制御装置のアドレス情報に応じて前記住宅制御装置に、設備制御プロンプト情報を送信するように構成されたデータ処理モジュールであって、前記設備制御プロンプト情報は、前記住宅制御装置のユーザに、前記ユーザに属する前記対象物を処理するための住宅設備を起動するように促すよう構成された、データ処理モジュールと、
を備える、クラウドサーバ。
【請求項１３】
前記データ処理モジュールは、
前記データ受信モジュールによって受信された前記対象物品質データから複数の対象物品質データを取得するように構成されたデータ取得ユニットであって、前記複数の対象物品質データに対応する前記住宅設備の設備タイプは同一であり、前記住宅設備に対応する家庭の地理的位置情報は、前記家庭が特定の地域にあることを示すデータ取得ユニットと、
前記複数の対象物品質データによって前記特定の地域に対応する地域品質データを取得し、前記地域品質データが前記閾値より低いことを判断するように構成されたデータ計算ユニットと、
前記住宅制御装置のユーザの家庭が前記特定の地域にあり、前記住宅制御装置にバインドされた住宅設備がなく、且つ、前記地域品質データが前記閾値より低いと前記データ計算ユニットが判断したとき、前記住宅制御装置のユーザに住宅設備の追加を促すように、前記住宅制御装置に前記設備制御プロンプト情報を送信するように構成された警告通知ユニットと、
を備える、請求項１２に記載のサーバ。
【請求項１４】
前記データ処理モジュールは、更に、前記住宅設備が設備制御命令によって制御されるために、前記住宅設備に前記設備制御命令を送信するように構成された設備制御ユニットを備える、請求項１２に記載のサーバ。
【請求項１５】
情報項目として住宅制御装置のアドレス情報を含む通知メッセージをクラウドサーバに送信するように構成された情報送信モジュールと、
前記アドレス情報に応じて前記クラウドサーバから送信された設備制御プロンプト情報を受信するように構成された情報受信モジュールであって、前記設備制御プロンプト情報は、住宅制御装置に対応するユーザに、前記ユーザに属する対象物を処理するための住宅設備を起動するように促すよう構成され、前記設備制御プロンプト情報は、前記住宅設備によって報告され且つ前記クラウドサーバに受信された前記対象物の対象物品質データが閾値より低いとき、前記クラウドサーバから送信され、前記対象物品質データを報告する住宅設備は、前記住宅制御装置にバインドされた住宅設備、又は前記住宅制御装置がある特定の地域に位置する他の住宅設備を含む、情報受信モジュールと、
を備える、住宅制御装置。
【請求項１６】
前記情報送信モジュールは、更に、前記通知メッセージ中に、前記住宅制御装置が属するユーザの家庭における住宅設備から送信された設備情報、及び、前記家庭の地理的位置情報を持たせるように構成され、前記設備情報は、前記住宅設備の設備タイプを含み、前記クラウドサーバは、前記地理的位置情報及び前記設備タイプに応じて前記家庭がある特定の地域の地域品質データを取得し、前記地域品質データが前記閾値より低いとき、前記設備制御プロンプト情報を送信する、
請求項１５に記載の装置。
【請求項１７】
家庭識別子統合指示を受信し、前記家庭識別子統合指示に応じて、統合される個々の家庭識別子を取得し、統一家庭識別子として前記個々の家庭識別子の１つを使用するように構成された情報処理モジュールを更に備え、
前記情報送信モジュールは、更に、前記クラウドサーバを前記個々の家庭識別子を前記統一家庭識別子に変更させるために、前記クラウドサーバに、前記統一家庭識別子を送信するように構成されている、
請求項１５に記載の装置。
【請求項１８】
対象物の品質測定を行って前記対象物の対象物品質データを取得するように構成された検知モジュールと、
前記対象物品質データをクラウドサーバに送信して、前記クラウドサーバが前記対象物品質データが閾値より低いと判断するとき、前記住宅制御装置に設備制御プロンプト情報を、前記住宅制御装置からクラウドサーバに報告された通知メッセージに持たされたアドレス情報に応じて送信するように構成された通信モジュールであって、前記設備制御プロンプト情報は、前記住宅制御装置のユーザに、前記ユーザに属する前記対象物を処理するための住宅設備を起動するように促すよう構成され、前記住宅制御装置は、前記住宅設備にバインドされた住宅制御装置、又は前記住宅設備がある特定の地域に位置する他の住宅制御装置を含む、通信モジュールと、
を備える、住宅設備。
【請求項１９】
前記通信モジュールは、設備情報を前記住宅制御装置に送信するように構成された装置通信ユニットを備え、
前記設備情報は、前記住宅制御装置を前記クラウドサーバに前記設備情報を送信させるように、前記住宅設備の設備タイプ及び設備識別子を含む、
請求項１８に記載の設備。
【請求項２０】
前記通信モジュールは、更に、前記クラウドサーバから設備制御命令を受信するように構成されたクラウド通信ユニットを備え、
前記設備は、更に、前記設備制御命令に応じて前記設備を制御するように構成された制御モジュールを備える、請求項１９に記載の設備。
【請求項２１】
プロセッサと、
前記プロセッサによって実行可能な命令を記憶するメモリと、
を備える住宅制御装置であって、
前記プロセッサは、
情報項目として住宅制御装置のアドレス情報を含む通知メッセージをクラウドサーバに送信し、前記アドレス情報に応じて前記クラウドサーバから送信された設備制御プロンプト情報を受信するように構成され、
前記設備制御プロンプト情報は、住宅制御装置に対応するユーザに、前記ユーザに属する対象物を処理するための住宅設備を起動するように促すよう構成され、前記設備制御プロンプト情報は、前記住宅設備によって報告されるとともに前記クラウドサーバによって受信された対象物の対象物品質データが閾値より低いとき、前記クラウドサーバから送信され、前記対象物品質データを報告する住宅設備は、前記住宅制御装置にバインドされた住宅設備、又は前記住宅制御装置がある特定の地域に位置する他の住宅設備を含む、住宅制御装置。
【請求項２２】
プロセッサと、
前記プロセッサによって実行可能な命令を記憶するメモリと、
を備える、クラウドサーバであって、
前記プロセッサは、
住宅制御装置から通知メッセージを受信するとともに、対象物を処理するための住宅設備から対象物品質データを受信し、前記対象物品質データが閾値より低いと判断するとき、前記住宅制御装置のアドレス情報に応じて住宅制御装置に、設備制御プロンプト情報を送信するように構成され、
前記通知メッセージは、前記住宅制御装置のアドレス情報を含み、前記対象物品質データは、前記住宅設備により前記対象物の品質測定を行うことによって取得され、前記住宅設備は、前記住宅制御装置にバインドされた住宅設備又は前記住宅制御装置がある特定の地域に位置する住宅設備を含み、前記設備制御プロンプト情報は、前記住宅制御装置のユーザに、前記ユーザに属する前記対象物を処理するための住宅設備を起動するように促すよう構成されている、クラウドサーバ。
【発明の詳細な説明】
【技術分野】
【０００１】
（関連出願の相互参照）
本出願は、２０１４年９月２３日に出願された中国特許出願番号２０１４１０４９２０５８．２に基づいて優先権を主張するものであり、その全体の内容が参照により本明細書に援用される。
【０００２】
本開示は、一般に、スマートホーム技術に関し、より具体的には、設備制御方法及び装置に関する。
【背景技術】
【０００３】
生活水準の緩やかな改善により、空気清浄機や浄水器などの住宅設備がユーザの家庭に設置されている。関連技術において、ユーザは、通常、自分自身で住宅設備を起動するか否かを制御する。例えば、ユーザが自分の家庭の環境が悪いと感じるとき、空気清浄機を起動する。しかしながら、このユーザによる制御方法は、ユーザにとって大きな不便をもたらすだけでなく、住宅設備の不十分な使用効果をもたらす。例えば、ユーザが環境の質に注目することを忘れて空気清浄機を起動しないと、空気清浄機は適時に機能しない、或いは、ユーザが自身の周辺環境が悪いことを知らずに空気清浄機を使用しないと、住宅設備は有効利用されず十分に機能を発揮しない。
【発明の概要】
【０００４】
従来技術に存在する問題を解決するために、本開示は、住宅設備の有効利用を実現する設備制御方法及び装置を提供する。
【０００５】
本開示の実施形態の第１態様によれば、住宅制御装置から通知メッセージを受信すること、ここで、前記通知メッセージは、以下の情報項目：前記住宅制御装置のアドレス情報、を含む；対象物を処理するように構成された住宅設備から対象物品質データを受信すること、ここで、前記対象物品質データは前記住宅設備により対象物の品質測定を行うことによって得られ、前記住宅設備は前記住宅制御装置にバインドされた住宅設備又は前記住宅制御装置がある特定の地域に位置する住宅設備を含む；前記対象物品質データが閾値より低いと判断したとき、前記住宅制御装置のアドレス情報に応じて設備制御プロンプト情報を前記住宅制御装置に送信すること、ここで、前記設備制御プロンプト情報は、前記住宅制御装置のユーザに、前記対象物を処理するために当該ユーザに属する住宅設備を起動するように促すよう構成されている；を含む、設備制御方法を提供する。
【０００６】
本開示の実施形態の第２態様によれば、通知メッセージをクラウドサーバに送信すること、ここで、前記通知メッセージは以下の情報項目：住宅制御装置のアドレス情報、を含む；前記アドレス情報に応じて前記クラウドサーバから送信された設備制御プロンプト情報を受信すること、ここで、前記設備制御プロンプト情報は、対応するユーザに、対象物を処理するために当該ユーザに属する住宅設備を起動するように促すよう構成され、前記設備制御プロンプト情報は、前記住宅設備によって報告されるとともに前記クラウドサーバによって受信された対象物の対象物品質データが閾値より低いとき、前記クラウドサーバから送信され、前記対象物品質データを報告する前記住宅設備は、前記住宅制御装置にバインドされた住宅設備、又は前記住宅制御装置がある特定の地域に位置する他の住宅設備を含む；を含む、設備制御方法を提供する。
【０００７】
本開示の実施形態の第３態様によれば、対象物の品質測定を、前記対象物の対象物品質データを取得するために行うこと；前記対象物品質データをクラウドサーバに送信すること、ここで、前記クラウドサーバは、前記対象物品質データが閾値より低いと判断するとき、住宅制御装置に設備制御プロンプト情報を、前記住宅制御装置からクラウドサーバに報告された通知メッセージに持たされたアドレス情報に応じて送信し、前記設備制御プロンプト情報は、前記住宅制御装置のユーザに、前記対象物を処理するために当該ユーザに属する住宅設備を起動するように促すよう構成され、前記住宅制御装置は、前記住宅設備にバインドされた前記住宅制御装置、又は前記住宅設備がある特定の地域に位置する他の住宅制御装置を含む；を含む、設備制御方法を提供する。
【０００８】
本開示の実施形態の第４態様によれば、住宅制御装置から通知メッセージを受信するとともに、対象物を処理するように構成された住宅設備から対象物品質データを受信するように構成されたデータ受信モジュールであって、前記通知メッセージは、以下の情報項目：前記住宅制御装置のアドレス情報、を含み、前記対象物品質データは、前記住宅設備により対象物の品質測定を行うことによって取得され、前記住宅設備は、前記住宅制御装置にバインドされた住宅設備又は前記住宅制御装置がある特定の地域に位置する住宅設備を含む、データ受信モジュールと、前記対象物品質データが閾値より低いと判断するとき、前記住宅制御装置のアドレス情報に応じた住宅制御装置に、設備制御プロンプト情報を送信するように構成されたデータ処理モジュールであって、前記設備制御プロンプト情報は、前記住宅制御装置のユーザに、前記対象物を処理するために前記ユーザに属する住宅設備を起動するように促すよう構成された、データ処理モジュールと、を備える、クラウドサーバを提供する。
【０００９】
本開示の実施形態の第５態様によれば、通知メッセージをクラウドサーバに送信するように構成された情報送信モジュールであって、前記通知メッセージは、以下の情報項目：住宅制御装置のアドレス情報、を含む、情報送信モジュールと、前記アドレス情報に応じて前記クラウドサーバから送信された設備制御プロンプト情報を受信するように構成された情報受信モジュールであって、前記設備制御プロンプト情報は、対応するユーザに、対象物を処理するために当該ユーザに属する住宅設備を起動するように促すよう構成され、前記設備制御プロンプト情報は、前記住宅設備によって報告され且つ前記クラウドサーバに受信された前記対象物の対象物品質データが閾値より低いとき、前記クラウドサーバから送信され、前記対象物品質データを報告する前記住宅設備は、前記住宅制御装置にバインドされた住宅設備、又は前記住宅制御装置がある特定の地域に位置する他の住宅設備を含む、情報受信モジュールと、を備える、住宅制御装置を提供する。
【００１０】
本開示の実施形態の第６態様によれば、対象物の品質測定を行って前記対象物の対象物品質データを取得するように構成された検知モジュールと、前記対象物品質データをクラウドサーバに送信するように構成された通信モジュールであって、前記クラウドサーバは、通知メッセージに持たされたアドレス情報に応じて設備制御プロンプト情報を住宅制御装置に送信し、前記通知メッセージは、前記対象物品質データが閾値より低いと判断するとき、前記住宅制御装置から前記クラウドサーバに報告され、前記設備制御プロンプト情報は、前記住宅制御装置のユーザに、対象物を処理するために当該ユーザに属する住宅設備を起動するように促すよう構成され、前記住宅制御装置は、前記住宅設備にバインドされた住宅制御装置、又は前記住宅設備がある特定の地域に位置する他の住宅制御装置を含む、通信モジュールと、を備える、住宅設備を提供する。
【００１１】
本開示の実施形態の第７態様によれば、プロセッサと、前記プロセッサによって実行可能な命令を記憶するメモリと、を備える、クラウドサーバであって、前記プロセッサは、住宅制御装置から通知メッセージを受信し、ここで、前記通知メッセージは、以下の情報項目：前記住宅制御装置のアドレス情報、を含み、対象物を処理するように構成された住宅設備から対象物品質データを受信し、ここで、前記対象物品質データは、前記住宅設備による前記対象物の品質測定を行うことによって取得され、前記住宅設備は、前記住宅制御装置にバインドされた住宅設備、又は、前記住宅制御装置がある特定の地域に位置する住宅設備を含み、前記対象物品質データが閾値より低いと判断するとき、前記住宅制御装置の前記アドレス情報に応じて設備制御プロンプト情報を前記住宅制御装置に送信する、ここで、前記設備制御プロンプト情報は、前記住宅制御装置のユーザに、前記対象物を処理するために前記ユーザに属する前記住宅設備を起動するように促す、ように構成された、クラウドサーバを提供する。
【００１２】
本開示の実施形態の第８態様によれば、プロセッサと、前記プロセッサによって実行可能な命令を記憶するメモリと、を備える住宅制御装置であって、前記プロセッサは、クラウドサーバに通知メッセージを送信し、ここで、前記通知メッセージは、以下の情報項目：前記住宅制御装置のアドレス情報、を含み、前記アドレス情報に応じて前記クラウドサーバから送信された設備制御プロンプト情報を受信する、ここで、前記設備制御プロンプト情報は、対応するユーザに、対象物を処理するために当該ユーザに属する住宅設備を起動するように促すよう構成され、前記設備制御プロンプト情報は、前記住宅設備によって報告され且つ前記クラウドサーバに受信された前記対象物の対象物品質データが閾値より低いとき、前記クラウドサーバから送信され、前記対象物品質データを報告する前記住宅設備は、前記住宅制御装置にバインドされた住宅設備、又は前記住宅制御装置がある特定の地域に位置する他の住宅設備を含む、ように構成された、住宅制御装置を提供する。
【発明の効果】
【００１３】
本開示の実施形態によって提供される技術的解決策は、次のような有利な効果を有する。クラウドサーバは、対象物品質データが閾値より低いとき対象物を処理するためにユーザに属する住宅設備を起動するように住宅制御装置のユーザに促すので、対象物の品質状態に応じて住宅設備を使用することができ、住宅設備の有効利用を実現することができる。
【００１４】
前述の一般的説明及び以下の詳細な説明の両方は、例示的で説明的なものであり、クレーム化された本発明を限定するものではないことは理解されるべきである。
【図面の簡単な説明】
【００１５】
本明細書に組み込まれ、本明細書の一部を構成する添付図面は、本発明と一致する実施形態を例示するものであり、その記述と共に、本発明の原理を説明するのに役立つ。
【図１】図１は、例示的な実施形態に係る設備制御方法を適用したシステム構成図である。
【図２】図２は、例示的な実施形態に係る設備制御方法のフローチャートである。
【図３】図３は、例示的な実施形態に係る設備制御方法におけるアプリケーション操作の概略図である。
【図４】図４は、例示的な実施形態に係る他の設備制御方法のフローチャートである。
【図５】図５は、例示的な実施形態に係る他の設備制御方法におけるアプリケーション操作の概略図である。
【図６】図６は、例示的な実施形態に係るクラウドサーバのブロック図である。
【図７】図７は、例示的な実施形態に係る他のクラウドサーバのブロック図である。
【図８】図８は、例示的な実施形態に係る他の住宅制御装置のブロック図である。
【図９】図９は、例示的な実施形態に係る他の住宅制御装置のブロック図である。
【図１０】図１０は、例示的な実施形態に係る住宅設備のブロック図である。
【図１１】図１１は、例示的な実施形態に係る他の住宅設備のブロック図である。
【図１２】図１２は、例示的な実施形態に係る装置のブロック図である。
【図１３】図１３は、例示的な実施形態に係る装置のブロック図である。
【発明を実施するための形態】
【００１６】
添付図面に示されている例示的な実施形態、実施例を詳細に参照する。以下の説明は、添付の図面を参照し、異なる図面における同一の数字は、特に示さない限り、同一又は類似の要素を表す。例示的な実施形態の以下の説明に記載されている実施例は、本発明と一致する全ての実施例を表すものではない。むしろ、それらは、添付の特許請求の範囲に記載の本発明に関連する態様と一致する装置及び方法の単なる例示である。
【００１７】
本開示の実施形態に係る住宅設備の制御は、分析結果を得るためにクラウドサーバによって複数の収集された測定データを分析し、前記分析結果に応じて住宅設備の使用制御を行うことを含む。以下の住宅設備の制御モードの説明が明確且つより容易に理解されるように、まず、図１は、住宅設備の制御を適用したシステム構成を示している。図１には、家庭ＪＴが図示されており、家庭ＪＴ内には空気清浄機１１及び浄水器１２が設置され、家庭ＪＴの所有者は、スマートフォン１３などの自身の携帯端末内に住宅制御装置と呼ばれる住宅制御ＡＰＰをインストールする。図１には、更に、クラウドサーバ１４を備えるクラウドが図示されている。
【００１８】
《実施形態１》
本開示の実施形態においては、前述したクラウドサーバ、住宅設備、及び住宅制御装置が、図２に示された処理フローを実行する。図２は、三者の設備の処理を示している。
【００１９】
ステップ２０１において、住宅設備は、対象物の対象物品質データを取得する。
【００２０】
住宅設備は、対象物を処理するように構成されている。例えば、空気清浄機１１は空気を浄化するように構成され、空気が対象物と呼ばれ、前記処理は浄化である。また、例えば、浄水器１２は家庭用の水を濾過するように構成され、家庭用の水が対象物と呼ばれ、前記処理は濾過である。
【００２１】
住宅設備は、対象物品質データと呼ばれる対象物の品質データを取得するために、対象物の品質測定を行ってもよい。例えば、空気清浄機１１は空気品質データを得るために家庭内で空気品質を検知し、浄水器１２は水質データを得るために家庭用の水の水質を検知する。
【００２２】
ステップ２０２において、住宅設備は、クラウドサーバに対象物品質データを送信する。
【００２３】
住宅設備は、対象物（例えば、空気又は水）の対象物品質データを取得した後、クラウドサーバ１４に対象物品質データを送信する。例えば、住宅設備は、定期的に測定された品質データを報告する。
【００２４】
ステップ２０３において、クラウドサーバは、対象物品質データが閾値より低いことを判断する。
【００２５】
クラウドサーバは、住宅設備から対象物品質データを受信した後、対象物品質データが閾値より低いか否かを判断する。例えば、クラウドサーバは、閾値として北京市の水質基準をあらかじめ記憶し、受信した対象物品質データと閾値とを比較する。対象物品質データが閾値より低い場合、水質が悪いことを示し、ステップ２０４が実行される。そうでなければ、ステップ２０４は実行されず、前記フローは終了される。
【００２６】
ステップ２０４において、クラウドサーバは、住宅制御装置に設備制御プロンプト情報を送信する。
【００２７】
このステップにおいて、対象物品質データに関連する住宅制御装置は、以下のケースを含む。
【００２８】
例えば、住宅制御装置（すなわち、住宅制御ＡＰＰ）が、浄水器が設置された家庭の所有者の携帯電話にインストールされる。浄水器によって報告された水質データが閾値より低いことを検知したとき、水質が悪いと判断し、クラウドサーバが、浄水器がある家庭の住宅制御ＡＰＰに設備制御プロンプト情報を送信する。設備制御プロンプト情報は、住宅制御ＡＰＰのユーザに、当該ユーザに属する住宅設備を起動するように促すよう構成されている。例えば、設備制御プロンプト情報は、「あなたの家庭の水質が悪いので、濾過レベルを高めて下さい」、「あなたの家庭の水質が悪いので、浄水器を起動して下さい。」などである。
【００２９】
また、例えば、住宅制御装置がある家庭に住宅設備がインストールされていない。このケースにおいて、クラウドサーバは、家庭が位置する地域の水質に応じた判断、例えば、前記地域の他の家庭で報告された水質データが悪いという判断を行い、その後、クラウドサーバが、住宅設備がインストールされていない家庭の住宅制御ＡＰＰに「あなたの家庭が位置する地域の水質が悪いので、浄水器を設置して下さい」などのプロンプト情報を送信する。
【００３０】
なお、クラウドサーバは、住宅制御装置のアドレス情報に応じて住宅制御装置に設備制御プロンプト情報を送信し、アドレス情報は、住宅制御装置から送信された通知メッセージからクラウドサーバによって取得され、通知メッセージは、以下の情報項目：住宅制御装置のアドレス情報、を含むことに留意すべきである。住宅設備は、住宅制御装置にバインドされた住宅設備、又は住宅制御装置がある特定の地域に位置する住宅設備を含んでもよい。例えば、前記の例において、住宅設備が設置されていない家庭の住宅制御ＡＰＰにクラウドサーバが設備制御プロンプト情報を送信することは、住宅制御ＡＰＰがある地域（例えば、海淀区など）の他の住宅設備からのデータに応じて判断される。
【００３１】
前記ケースのいずれかに関わらず、クラウドサーバから送信された設備制御プロンプト情報は、住宅制御装置のユーザに、対象物を処理するユーザに属する住宅設備を起動するように促す、例えば、ユーザにより良い品質を有する住宅設備を使用するように促す、ユーザに住宅設備を起動するように促す、或いは、ユーザに住宅設備を設置するように促すように構成されている。ユーザが水質又は空気品質に注目することを忘れ、住宅設備を起動しなかった場合でさえ、クラウドサーバは、ユーザに住宅設備を起動するように促し、それにより、住宅設備の有効利用を促進する。
【００３２】
《実施形態２》
より詳細には、具体的な実施例において、家庭に設置された浄水器及び空気清浄機などの住宅設備は、家庭にバインドされてもよく、その解決策は、以下のように提供される。
【００３３】
仮に、家族の家人の１人が「住宅制御ＡＰＰ」（すなわち、住宅制御装置）を自身の携帯電話にインストールしていると想定すると、住宅制御ＡＰＰが起動された後、住宅制御ＡＰＰの使用者が住む家庭ＩＤ（すなわち、家庭識別子）が自動的に生成される。例えば、家庭ＩＤは、ランダムな文字列「0111qjy」である。家庭ＩＤは、生成された後、住宅制御ＡＰＰに記憶され、その後、住宅制御ＡＰＰがクラウドサーバにメッセージを送信する毎に、所持されてもよい。
【００３４】
さらに、各ＡＰＰは、対応するアドレス情報を有し、アドレス情報の機能は、クラウドサーバがＡＰＰにメッセージを送信しようとするとき、クラウドサーバがアドレス情報に応じてＡＰＰにメッセージを送信することを可能する。例えば、アドレス情報はＡＰＰ ＩＤである。実際の使用において、特定の家人の一人は、彼のＡＰＰのために２つのアカウントを設定してもよく、２つのアカウントの両方がＡＰＰ ＩＤに対応してもよい。もちろん、前記アドレス情報のほかに、ＡＰＰは、ＡＰＰのタイトルに相当する自身の識別子も有している。あるいは、ＡＰＰは、識別機能だけでなく、アドレス機能も行うように１つの識別子を有してもよい。
【００３５】
住宅制御ＡＰＰは、クラウドサーバに通知メッセージを送信し、通知メッセージは、以下の情報項目：住宅制御ＡＰＰのアドレス情報及びＡＰＰの属する家庭の家庭識別子、を所持してもよい。前記情報を受信した後、クラウドサーバは、情報項目間の対応関係を記録する。図１を参照すると、関係記録方式が例示されている。
【００３６】
【表１】
2016540460.tif 000003
【００３７】
前記したように、表１は、様々な情報を含んでいる。ＡＰＰが通知メッセージを報告するとき、情報の一部が報告される。例えば、ＡＰＰは、家庭識別子及びＡＰＰ識別子（アドレス情報）のみを報告する。表１において、２つの家庭、すなわち家庭Ａ及び家庭Ｂが例示されており、２つの家庭は、類似の情報記録構造を有し、家庭Ａの情報記録構造のみが詳細に示されている。
【００３８】
例えば、家庭Ａの家庭ＩＤは「0111qjy」であり、家庭Ａに対応する家族には３人の家人がおり、１人の家人のＡＰＰは、報告時に家庭ＩＤのほかにＡＰＰの識別子「yy01」を所持し、他の２人の家人のＡＰＰは、それぞれ報告時に識別子「yy02」,「yy03」を保持している。また、スマートホーム設備が家庭Ａに設置されていない場合には、クラウドサーバは、まず、家庭Ａの家庭ＩＤと各家人のＡＰＰ ＩＤとの対応関係を記録する。
【００３９】
あるいは、家庭Ａには浄水器及び２つの空気清浄機が設置されている場合、ユーザの携帯電話のＡＰＰは、これらの住宅設備の設備検索を行ってもよい。すなわち、ＡＰＰは、各住宅設備からの信号を検知してもよい。あるいは、具体的な実施例において、ＡＰＰは、住宅設備に設備検索要求を送信してもよく、住宅設備は、設備検索要求を受信した後、ＡＰＰに検索要求を返信し、ＡＰＰに住宅設備の存在を知らせることができ、それにより、ＡＰＰと住宅設備との間で通信接続が確立される。
【００４０】
住宅設備は、ＡＰＰに設備情報を送信してもよく、設備情報は、住宅設備の設備タイプ及び住宅設備の設備識別子を含んでもよい。設備タイプは、例えば、「設備は浄水器である」又は「設備は空気清浄機である」ことを示すように構成されている。具体的には、例えば、「浄水器」は「０１」と示され、「空気清浄機」は「０２」と示されてもよい。設備識別子は、個々の設備を区別するように構成されている。例えば、２つの空気清浄機が家庭で使用され、２つの空気清浄機の設備タイプが同一であるとき、２つの空気清浄機は、その設備識別子によって互いに区別されてもよい。例えば、一方の空気清浄機の設備識別子は「ａａ」であり、他方の空気清浄機の設備識別子が「ｂｂ」であってもよい。住宅設備は、設備識別子と設備タイプの両方をＡＰＰに送信する。
【００４１】
ＡＰＰからクラウドサーバに送信される通知メッセージには、以下の情報項目：住宅制御ＡＰＰのアドレス情報、ＡＰＰが属する家庭の家庭識別子、家庭の住宅設備の設備タイプ、及び住宅設備の設備識別子、が含まれてもよい。クラウドサーバは、表２に示すように、これらの情報項目間の対応関係を記録する。
【００４２】
【表２】
2016540460.tif 000004
【００４３】
このとき、クラウドサーバ側で、以下の情報項目間の対応関係が記録される。家庭Ａにおいては、３つの住宅制御ＡＰＰ、すなわちyy01、yy02、yy03があり、浄水器及び２つの空気清浄機ａａ及びｂｂを含む２つのタイプの住宅設備が設けられている。
【００４４】
なお、家庭に３つのＡＰＰがあり、３つのＡＰＰがそれぞれ家庭ＩＤを生成するとき、３つのＡＰＰによって生成された家庭ＩＤは異なってもよく、その後、家庭ＩＤは統合されてもよいことに留意すべきである。具体的には、表２に示される３つのＡＰＰを未だに一例として挙げると、ＡＰＰ「yy01」によって生成されるとともにクラウドサーバに報告された家庭ＩＤが「0111qjy」であり、ＡＰＰ「yy02」によって生成されるとともにクラウドサーバに報告された家庭ＩＤが「0112qjy」であり、ＡＰＰ「yy03」によって生成されるとともにクラウドサーバに報告された家庭ＩＤが「0113qjy」であることが想定される。３人の家人が同じ家庭に属することをクラウドサーバに通知しようとする場合、ＡＰＰ「yy01」を使用する家人は、自己所有の携帯電話を操作、例えば、統合操作が行われるように、ＡＰＰによって家庭識別子統合指示を受信することに相当するＡＰＰのオプション「家庭ＩＤ統合」をクリックしてもよい。
【００４５】
ＡＰＰは、家庭ＩＤ統合のために操作インターフェースに入力してもよい。図３を参照すると、携帯電話の操作の概略図が示されている。他の２人の家人は、それぞれのＡＰＰの家庭ＩＤのＡＰＰ「yy01」を使用する家人に通知し、ＡＰＰ「yy01」を使用する家人は、統合するために家庭ＩＤの枠の中に他の家人の家庭ＩＤを入力する。さらに、ユーザは、統合された家庭識別子として個々の家庭識別子の１つを選択、例えば、統合された家庭識別子として「0111qjy」を選択する。統一された家庭識別子は、ユーザによって入力されてもよいし、選択マーカーを用いて、例えば、「0111qjy」の後にチェックマークを付けて選択されてもよい。統合された家庭識別子が決定された後、前記情報がクラウドサーバに送信される。
【００４６】
クラウドサーバは、前記情報を受信した後、家庭ＩＤの統合操作を行い、0111qjyとして３つのＡＰＰの家庭ＩＤを統合する。すなわち、３つのＡＰＰが家庭Ａにバインドされる。
【００４７】
前記場面に基づいて、図４を例に取ると、設備上の制御が記載されている。図４は、例示的な実施形態に係る設備制御方法のフローチャートである。本方法は、以下のステップを含んでいる。
【００４８】
ステップ４０１においては、浄水器が対象物品質データをクラウドサーバに送信する。
【００４９】
対象物品質データは、浄水器によって家庭Ａの水質を検知することによって得られる水質データである。浄水器からクラウドサーバに送信されるメッセージは、水質データを含むだけでなく、浄水器の設備タイプ及び設備識別子を含んでもよい。
【００５０】
設備タイプ及び設備識別子は１つの文字列、例えば、（設備が浄水器であることを示す）設備タイプ「01」と設備識別子「cc」とを含む「01cc」に統合されてもよい。
【００５１】
ステップ４０２においては、クラウドサーバが対象物品質データを分析する。
【００５２】
例えば、クラウドサーバが水質データと閾値とを比較し、水質が悪いことが分かった場合、ステップ４０３が実行され、そうでなければ、クラウドサーバは前記フローを終了する。
【００５３】
ステップ４０３においては、クラウドサーバが、浄水器に対応する家庭ＡＰＰを検索し、水質リマインダーメッセージを家庭ＡＰＰに送信する。
【００５４】
本実施形態においては、クラウドサーバが、水質が悪いことを見出し、浄水器がある家庭の家人に水質を思い出させようとするとき、クラウドサーバは、家庭の任意のＡＰＰを得るために表２の対応関係を検索し、ＡＰＰによって以前に報告されたアドレス情報に対応するＡＰＰに水質リマインダーメッセージを送信してもよい。例えば、図５を参照すると、携帯電話のインターフェースに「あなたの家庭の水質が悪いので、処理することに注意を払って下さい」と表示してもよい。これにより、現在の浄水器の浄水能力が弱く、十分に浄水できないことをリマインドすることができ、ユーザは、強い浄水能力を有する浄水器を使用することができる。
【００５５】
《実施形態３》
本実施形態において、ＡＰＰによってクラウドサーバに報告される通知メッセージの情報項目は、更に家の地理的位置情報を含んでいる。具体的には、ＡＰＰが空気清浄機などの住宅設備と情報のやりとりをするとき、ＡＰＰは、接続がリモート接続であるかローカル接続であるかを検知する。もし、接続がローカルネットワークを介するローカル接続であり、それにより、ＡＰＰが家庭内にあると考えられる場合、ＡＰＰは、ＧＰＳ地理的位置情報を取得するためにＧＰＳ測位を起動する。家庭は小さなエリアを占めるので、ＧＰＳ測位によって得られたＧＰＳ地理的位置情報を家庭の地理的位置情報として使用することができ、家人のＡＰＰによって測定された家庭の地理的位置情報は実質的に同一であると考えられる。
【００５６】
ＡＰＰは、地理的位置情報と共に、家庭ＩＤ及びＡＰＰ識別子などの情報をクラウドサーバに送信する。前記家庭Ａを例に取ると、クラウドサーバは、表２において家庭Ａに対応するＧＰＳ位置情報のセルにＡＰＰ「yy01」によって報告されたＧＰＳ地理的位置情報（表２に示さず）を記入する。
【００５７】
家庭の地理的位置情報を付加した後、クラウドサーバは、複数の選択的態様で対象物品質データを分析してよい。具体的には、以下の表３を例に取ると、対象物品質データの分析は、以下のように図示することができる。
【００５８】
【表３】
2016540460.tif 000005
【００５９】
表３を参照すると、ＡＰＰによって報告された地理的位置情報は、家庭の経度及び緯度の情報であってもよい。クラウドサーバは、実際的な地図地域に家庭の経度及び緯度の情報を変換する。例えば、家庭Ａが北京海淀区に位置し、家庭Ｂが北京朝陽区に位置することを決定する。各家庭は、ＡＰＰによって報告された対象物品質データを有する。
【００６０】
水質データの分析が行われる場合、クラウドサーバは、同じ地域のデータを選択し、表３のＧＰＳ位置情報に応じて北京海淀区などの特定の地域内のいくつかの家庭（家庭Ａ、家庭Ｃ、及び家庭Ｄを含む）を取得する。その後、クラウドサーバは、これらの家庭の浄水器のデータ、具体的には、浄水器の設備タイプ「01」に対応するデータを選択するとともに、同じ設備タイプの住宅設備（例えば、浄水器）のデータを選択する。これらのデータが対象物品質データと呼ばれる。クラウドサーバは、これらの対象物品質データに応じて地域品質データを、例えば、北京海淀区の平均水質を得ることができるように平均化することによって計算してもよく、クラウドサーバが、この地域の平均水質が予め決められた水質閾値より低いことを判断するとする。
【００６１】
このケースにおいて、クラウドサーバは、例えば「この地域の水質が悪い」などの水質リマインダーメッセージをこの地域のユーザに、例えば、家庭ＣのＡＰＰ「zy02」又は家庭ＤのＡＰＰ「zy03」に送信してもよい。
【００６２】
更に、クラウドサーバは、浄水器が無い同じ地域の家庭に水質をリマインドさせてもよい。例えば、表３を参照すると、家庭Ｅの地理的位置情報は、北京海淀区に位置しているが、家庭Ｅに対応する設備タイプも住宅設備の設備識別子もなく、これは、家庭Ｅにスマートハウス設備が設置されていないことを示す。住宅設備が家庭Ｅに設置されている場合、家庭ＥのＡＰＰ「Yy06」は、設備検索を行い、設備情報を報告する。この場合、クラウドサーバは、家庭ＥのＡＰＰに設備制御プロンプト情報を送信してもよく、設備制御プロンプト情報は、住宅設備を設置するように又は対象品質のプロンプトを与えるように家庭Ｅに促すように、例えば、自身の家庭が位置する地域の水質が悪く、ユーザが水質汚染に対して注意を払う必要があることをユーザに促すように構成されてもよい。
【００６３】
同様に、クラウドサーバは、その地域内の空気清浄機によって報告された空気品質データに応じて地域の空気品質を判断してもよい。地域の空気品質が基準よりも低いとき、地域の空気が汚染されていることが考えられる。クラウドサーバは、ＧＰＳ地理的情報に基づいて地域内で空気清浄機を使用していないユーザを探し出し、このユーザにリマインダーメッセージをプッシュし、空気汚染をリマインドする。また、ユーザは、リマインダーメッセージを見た後、自身の家庭内に空気清浄機を設置することを開始してもよい。
【００６４】
さらに、住宅設備は、クラウドサーバに設備状態（例えば、オン状態又はオフ状態）を報告してもよい。これにより、クラウドサーバが、地域の空気品質が悪いと判断し、空気清浄機がその地域の家庭内に設置されているがオフ状態であると見出した場合、クラウドサーバは、家庭のＡＰＰにリマインダー通知を送信し、その家庭のユーザに空気清浄機をオンするようにリマインドしてもよい。
【００６５】
《実施形態４》
前記実施形態においては、クラウドサーバが、空気品質が悪い又は空気が汚染されていると判断するとき、家人のＡＰＰにリマインダー通知を送信し、例えば、水質が悪いことをユーザにリマインドし、ユーザに自分で住宅設備を起動するように制御させる或いは住宅設備を取り替えさせるようにしている。本実施形態において、クラウドサーバは、更に、住宅設備を直接制御し、例えば、住宅設備をオンする。
【００６６】
例えば、クラウドサーバが北京海淀区の地域の空気品質が悪いと判断した場合、クラウドサーバは、表３の家庭Ａの空気清浄機に直接的に設備制御命令を送信してもよく、設備制御命令は、空気清浄機に起動するように命令するよう構成されてもよい。空気清浄機は、設備制御命令を受け取った後、設備制御情報に応じて起動する。この場合、クラウドサーバは、ユーザのＡＰＰに通知メッセージを送信し、空気清浄機がオンしていることをユーザが知ることができるようにしてもよい。
【００６７】
また、例えば、ユーザが家にいるときに空気清浄機を起動することが最も良く、省エネルギー要件を満たすと考えられる場合、クラウドサーバは、まず、起動命令を送信する前にユーザが家にいるか否かを判断し、ユーザが家にいる場合、クラウドサーバは、ＡＰＰに起動命令を送信してもよい。具体的には、クラウドサーバは、家庭のユーザのＡＰＰに測位要求を送信し、ＡＰＰが測位機能を起動することを要求してもよく、ＡＰＰは、ＧＰＳ位置情報を取得するために測位機能を起動し、ＧＰＳ位置情報をクラウドサーバに報告してもよい。受信したＧＰＳ位置情報が家庭に対応する予め記憶された地理的位置情報と一致する場合、クラウドサーバは、ユーザが家にいると判断する。
【００６８】
前述したように、クラウドサーバは、住宅設備を起動するように直接的に制御するが、さらに別の例として、ユーザが自身が所有する住宅設備がクラウドサーバによって制御されることを望まない場合、ユーザのオプションを提供することが可能である。具体的には、住宅設備を起動する前に、クラウドサーバは、まず、ユーザのＡＰＰに通知メッセージ、例えば、「現在の空気品質が悪いので、クラウドサーバが空気清浄機を自動的に起動させることを許可しますか」を送信してもよい。ユーザは家にいないが空気清浄機を起動しようとする場合、ユーザが同意して、クラウドサーバが空気清浄機を起動してもよい。ユーザが同意しない場合、クラウドサーバは住宅設備に起動命令を送信しない。さらに、クラウドサーバは、ユーザがクラウドサーバの設備制御機能を停止することを可能にする。例えば、ユーザは、ＡＰＰを介してクラウドサーバにメッセージを送信し、住宅設備を制御することを停止するようにクラウドサーバに命令してもよい。
【００６９】
以下に、本開示の実施形態に係る設備制御方法に関する設備の構造を提供する。本設備の構造に関しては、設備制御方法に係る実施形態に個々のモジュールの特定の操作モードが詳細に記載されているので、ここでは詳しく説明しない。
【００７０】
《実施形態５》
図６は、例示的な実施形態に係るクラウドサーバのブロック図である。図６を参照すると、クラウドサーバは、データ受信モジュール６１と、データ処理モジュール６２とを備えている。
【００７１】
データ受信モジュール６１は、住宅制御装置から通知メッセージを受信するように構成され、通知メッセージは以下の情報項目：住宅制御装置のアドレス情報、を含む。また、データ受信モジュール６１は、対象物を処理するように構成された住宅設備から対象物品質データを受信するように構成されている。対象物品質データは、住宅設備によって対象物の品質測定を行うことによって得られ、前記住宅設備は、住宅制御装置にバインドされた住宅設備、又は住宅制御装置がある特定の地域に位置する住宅設備を含んでいる。
【００７２】
データ処理モジュール６２は、対象物品質データが閾値より低いと判断するとき、住宅制御装置のアドレス情報に対応する住宅制御装置に、設備制御プロンプト情報を送信するように構成され、前記設備制御プロンプト情報は、住宅制御装置のユーザに、対象物を処理するために当該ユーザに属する住宅設備を起動するように促すよう構成されている。
【００７３】
あるいは、データ受信モジュール６１は、更に、以下の情報項目：住宅制御装置が属する家庭の家庭識別子、家庭の地理的位置情報、並びに、家庭の住宅設備の設備タイプ及び設備識別子の少なくとも１つ、を含む通知メッセージを住宅制御装置から受信するように構成されている。
【００７４】
図７は、例示的な実施形態に係る他のクラウドサーバのブロック図である。図７に示すように、図６に示す構造に基づいて、クラウドサーバのデータ処理モジュール６２は、データ取得ユニット６２１と、データ計算ユニット６２２と、警告通知ユニット６２３とを備えている。
【００７５】
データ取得ユニット６２１は、データ受信モジュールによって受信された対象物品質データから複数の対象物品質データを取得するように構成され、複数の対象物品質データに対応する住宅設備の設備タイプは同一であり、住宅設備に対応する家庭の地理的位置情報は家庭が特定の地域にあることを示す。
【００７６】
データ計算ユニット６２２は、複数の対象物品質データによって特定の地域に対応する地域品質データを取得し、地域品質データが閾値より低いことを判断するように構成されている。
【００７７】
警告通知ユニット６２３は、住宅制御装置のユーザの家庭が特定の地域にあり、住宅制御装置にバインドされた住宅設備がなく、地域品質データが閾値より低いとデータ計算ユニットが判断したとき、住宅制御装置に設備制御プロンプト情報を送信し、住宅制御装置のユーザに住宅設備を追加するように促すように構成されている。
【００７８】
あるいは、データ処理モジュール６２は、更に、設備制御命令を住宅設備に送信するように構成された設備制御ユニット６２４を備え、住宅設備が設備制御命令に応じて制御されてもよい。
【００７９】
《実施形態６》
図８は、例示的な実施形態に係る住宅制御装置のブロック図である。例えば、住宅制御装置は、携帯電話にインストールされた住宅制御ＡＰＰである。図８を参照すると、住宅制御装置は、情報送信モジュール８１と情報受信モジュール８２とを備えている。
【００８０】
情報送信モジュール８１は、通知メッセージをクラウドサーバに送信するように構成され、通知メッセージは、以下の情報項目：住宅制御装置のアドレス情報、を含む。
【００８１】
情報受信モジュール８２は、アドレス情報に応じてクラウドサーバから送信された設備制御プロンプト情報を受信するように構成されている。設備制御プロンプト情報は、対応するユーザに、対象物を処理するために当該ユーザに属する住宅設備を起動するように促すよう構成され、住宅設備によって報告されるとともにクラウドサーバによって受信された対象物の対象物品質データが閾値より低いとき、設備制御プロンプト情報がクラウドサーバから送信される。対象物品質データを報告される住宅設備は、住宅制御装置にバインドされた住宅設備、又は住宅制御装置がある特定の地域に位置する他の住宅設備を含む。
【００８２】
図９は、例示的な実施形態に係る他の住宅制御装置のブロック図である。図９に示すように、図８に示す構造に基づいて、住宅制御装置は、更に、情報生成モジュール８３と、位置決めモジュール８４と、情報処理モジュール８５とを備えている。
【００８３】
情報生成モジュール８３は、住宅制御装置が属する家庭の家庭識別子を生成するとともに、通知メッセージに家庭識別子を持たせるように構成され、クラウドサーバは、個々の情報項目間の対応関係を記録する。
【００８４】
位置決めモジュール８４は、家庭の地理的位置情報を取得し、通知メッセージに家庭の地理的位置情報を持たせるように構成されている。
【００８５】
あるいは、情報送信モジュール８１は、更に、通知メッセージに、住宅制御装置が属するユーザの家庭に住宅設備から送信された設備情報及び家庭の地理的位置情報を持たせるように構成されている。設備情報は、住宅設備の設備タイプを含んでいる。クラウドサーバは、地理的位置情報及び設備タイプに応じて、家庭がある特定の地域の地域品質データを取得し、地域品質データが閾値より低いとき、設備制御プロンプト情報を送信する。
【００８６】
あるいは、情報処理モジュール８５は、家庭識別子統合指示を受信し、家庭識別子統合指示に応じて、統合される個々の家庭識別子を取得し、統一家庭識別子として個々の家庭識別子の１つを使用するように構成されている。
【００８７】
情報送信モジュール８２は、更に、クラウドサーバに、統一家庭識別子を送信するように構成され、クラウドサーバは、個々の家庭識別子を統一家庭識別子に変更する。
【００８８】
《実施形態７》
図１０は、例示的な実施形態に係る住宅設備のブロック図である。図１０を参照すると、住宅設備は、検知モジュール１００１と、通信モジュール１００２とを備えている。
【００８９】
検知モジュール１００１は、対象物の対象物品質データを取得するために対象物に品質測定を行うように構成されている。
【００９０】
通信モジュール１００２は、クラウドサーバに対象物品質データを送信するように構成され、クラウドサーバは、対象物品質データが閾値より低いと判断したとき、住宅制御装置からクラウドサーバに報告された通知メッセージが持つアドレス情報に応じて、住宅制御装置に設備制御プロンプト情報を送信する。設備制御プロンプト情報は、住宅制御装置のユーザに、対象物を処理するために当該ユーザに属する住宅設備を起動するように促すよう構成されている。住宅制御装置は、住宅設備にバインドされた住宅制御装置、又は住宅設備がある特定の地域に位置する他の住宅制御装置を含んでいる。
【００９１】
図１１は、例示的な実施形態に係る他の住宅設備のブロック図である。図１１に示すように、図１０に示す構造に基づいて、住宅設備の通信モジュール１００２は、装置通信ユニット１００３と、クラウド通信ユニット１００４とを備えてもよい。
【００９２】
装置通信ユニット１００３は、住宅制御装置に住宅設備の設備タイプ及び設備識別子を含む設備情報を送信するように構成され、住宅制御装置は、クラウドサーバに設備情報を送信する。クラウド通信ユニット１００４は、クラウドサーバから設備制御命令を受信するように構成されている。
【００９３】
あるいは、住宅設備は、更に、クラウド通信ユニット１００４によって受信された設備制御命令に応じて設備を制御するように構成された制御モジュール１００５を備える。
【００９４】
《実施形態８》
図１２は、例示的な実施形態に係る装置８００のブロック図である。図１０を参照すると、住宅設備は、検知モジュール１００１と、通信モジュール１００２とを備えている。例えば、装置８００は、携帯電話、コンピュータ、デジタル放送端末、メッセージ送受信機、ゲーム機、タブレット、医療機器、携帯情報端末などであってもよい。
【００９５】
図１２を参照すると、装置８００は、処理コンポーネント８０２、メモリ８０４、パワー成分８０６、マルチメディアコンポーネント８０８、オーディオコンポーネント８１０、入力／出力（Ｉ／Ｏ）インターフェース８１２、センサコンポーネント８１４、及び通信コンポーネント８１６の１以上のコンポーネントを備えてもよい。
【００９６】
処理コンポーネント８０２は、一般的には、表示、電話、データ通信、カメラ動作、及びレコーディング動作に関連する動作などの、装置８００の全体動作を制御する。処理コンポーネント８０２は、前述した方法のステップの全部又は一部を行うように、命令を実行する１以上のプロセッサ８２０を備えてもよい。さらに、処理コンポーネント８０２は、処理コンポーネント８０２と他のコンポーネントとの間のインタラクションを容易にする１以上のモジュールを含んでもよい。例えば、処理コンポーネント８０２は、マルチメディアコンポーネント８０８と処理コンポーネント８０２との間のインタラクションを容易にするために、マルチメディアモジュールを含んでもよい。
【００９７】
メモリ８０４は、装置８００の動作をサポートするために様々なタイプのデータを記憶するように構成されている。そのようなデータの例には、装置８００上で動作するアプリケーション又は方法のための命令、連絡先データ、電話帳データ、メッセージ、写真、映像などが含まれる。メモリ８０４は、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気又は光ディスクなどの任意のタイプの揮発性又は不揮発性メモリ装置、又はその組合せを用いて実現されてもよい。
【００９８】
本実施形態において、メモリ８０４は、プロセッサによって実行可能な命令を記憶する。プロセッサは、命令を実行することによって次の動作：装置８００のアドレス情報を含む情報項目を含む通知メッセージをクラウドサーバに送信すること、アドレス情報に応じてクラウドサーバから送信された設備制御プロンプト情報を受信すること、を行うように構成されている。設備制御プロンプト情報は、対応するユーザに、対象物を処理するために当該ユーザに属する住宅設備を起動するように促すよう構成されている。設備制御プロンプト情報は、住宅設備によって報告されるとともにクラウドサーバによって受信された対象物の対象物品質データが閾値より低いとき、クラウドサーバから送信される。対象物品質データを報告される住宅設備は、装置８００にバインドされた住宅設備、又は装置８００がある特定の地域に位置する他の住宅設備を含んでいる。
【００９９】
電力コンポーネント８０６は、装置８００の様々なコンポーネントに対して電力を提供する。電力コンポーネント８０６は、電力管理システム、１以上の電源、及び、装置８００の電力の生成、制御、分配に関連する他のコンポーネントを備えてもよい。
【０１００】
マルチメディアコンポーネント８０８は、装置８００とユーザとの間の出力インターフェースを提供する画面を備えている。いくつかの実施形態において、前記画面は、液晶ディスプレイ（ＬＣＤ）やタッチパネル（ＴＰ）を備えてもよい。前記画面がタッチパネルを備える場合、前記画面は、ユーザからの入力信号を受信するタッチスクリーンとして実現されてもよい。前記タッチパネルは、前記タッチパネル上でのタッチ、スワイプ、及びジェスチャーを検知するための１以上のタッチセンサを備えてもよい。タッチセンサは、タッチ又はスワイプの動作の境界を検知するだけでなく、タッチ又はスワイプの動作に関連する持続時間及び圧力も検知してもよい。いくつかの実施形態において、マルチメディアコンポーネント８０８は、前向きカメラ及び／又は後向きカメラを備えている。前向きカメラ及び後向きカメラは、装置８００が撮影モードや映像モードなどの動作モードにあるときに、外部のマルチメディアデータを受信してもよい。前向きカメラ及び後向きカメラの各々は、固定された光学レンズ系であってもよいし、焦点整合及び光学ズーム性能を有してもよい。
【０１０１】
オーディオコンポーネント８１０は、オーディオ信号を出力及び／又は入力するように構成されている。例えば、オーディオコンポーネント８１０は、装置８００が通話モード、レコーディングモード、音声認識モードなどの動作モードにあるときに外部オーディオ信号を受信するように構成されたマイクロフォン（「ＭＩＣ」）を備えている。受信されたオーディオ信号は、更に、メモリ８０４に記憶されても、通信コンポーネント８１６を介して送信されてもよい。いくつかの実施形態において、オーディオコンポーネント８１０は、更に、オーディオ信号を出力するスピーカを備えている。
【０１０２】
Ｉ／Ｏインターフェース８１２は、処理コンポーネント８０２と、キーボード、クリックホイール、ボタンなどの周辺インターフェースモジュールとの間のインターフェースを提供するように構成されている。ボタンは、限定されるものではないが、ホームボタン、ボリュームボタン、起動ボタン、及びロックボタンを備えてもよい。
【０１０３】
センサコンポーネント８１４は、例えば、装置８００の様々な態様のステータス評価を提供する１以上のセンサを備えている。例えば、センサコンポーネント８１４は、装置８００の開／閉状態、及びコンポーネント（例えば、装置８００の表示部及びキーパッド）の相対位置を検知してもよい。また、センサコンポーネント８１４は、装置８００又は装置８００のコンポーネントの位置の変化、装置８００に接触するユーザの有無、装置８００の方位又は加速／減速、装置８００の温度の変化を検知してもよい。センサコンポーネント８１４は、いかなる物理的接触もなく、近くの物体の存在を検知するように構成された近接センサを備えてもよい。また、センサコンポーネント８１４は、更に、イメージングアプリケーションで使用するために、ＣＭＯＳやＣＣＤイメージングセンサなどの光センサを備えてもよい。いくつかの実施形態において、センサコンポーネント８１４は、加速度センサ、ジャイロセンサ、磁気センサ、圧力センサ、マイクロ波センサ、又は温度センサも含んでもよい。
【０１０４】
通信コンポーネント８１６は、装置８００と他の装置との間の有線又は無線通信を容易にするように構成されている。装置８００は、ＷｉＦｉ、２Ｇ、３Ｇなどの通信規格、又はそれらの組合せに基づく無線ネットワークにアクセスすることができる。例示的な一実施形態において、通信コンポーネント８１６は、放送チャンネルを介して外部の放送制御システムからの放送信号又は放送関連情報を受信する。例示的な一実施形態において、通信コンポーネント８１６は、更に、短距離通信を容易にするために近距離無線通信（ＮＦＣ）モジュールを備えている。例えば、ＮＦＣモジュールは、無線自動識別（ＲＦＩＤ）技術、赤外線通信協会（ＩｒＤＡ）技術、超広帯域（ＵＷＢ）技術、ブルートゥース（ＢＴ）技術、又は他の技術に基づいて実現されてもよい。
【０１０５】
例示的な実施形態において、装置８００は、前述した方法を行うために、特定用途向け集積回路（ＡＳＩＣｓ）、デジタル信号プロセッサ（ＤＳＰｓ）、デジタル信号処理装置（ＤＳＰＤｓ）、プログラマブル論理装置（ＰＬＤｓ）、フィールドプログラマブルゲートアレイ（ＦＰＧＡｓ）、コントローラ、マイクロコントローラ、マイクロプロセッサ、又は他の電子部品などの１以上の電子的要素で実現されてもよい。
【０１０６】
《実施形態９》
図１３は、例示的な実施形態に係る装置１９００のブロック図である。例えば、装置１９００は、サーバとして構成されている。図１３を参照すると、装置１９００は、１以上のプロセッサを含む処理コンポーネント１９２２と、メモリ１９３２によって表され、処理コンポーネント１９２２によって実行可能な命令（例えば、アプリケーションプログラム）を記憶するように構成されたメモリリソースとを備えている。メモリ１９３２に記憶されたアプリケーションプログラムは、一連の命令に各々対応する１以上のモジュールを備えてもよい。処理コンポーネント１９２２は、以下の方法：通知メッセージを住宅制御装置から受信すること、ここで、通知メッセージは以下の情報項目：住宅制御装置のアドレス情報、を含む；対象物を処理するように構成された住宅設備から対象物品質データを受信すること、ここで、対象物品質データは住宅設備により対象物の品質測定を行うことによって得られ、住宅設備は住宅制御装置にバインドされた住宅設備又は住宅制御装置がある特定の地域に位置する住宅設備を含む；対象物品質データが閾値より低いと判断したとき、住宅制御装置のアドレス情報に応じて設備制御プロンプト情報を住宅制御装置に送信すること、ここで、設備制御プロンプト情報は、住宅制御装置のユーザに、対象物を処理するために当該ユーザに属する住宅設備を起動するように促すよう構成されている、を行うことができるように命令を実行するよう構成されている。
【０１０７】
また、装置１９００は、装置１９００の電力管理を行うように構成された電源１９２６と、装置１９００をネットワークに接続するように構成された有線又は無線ネットワークインターフェース１９５０と、入力／出力（Ｉ／Ｏ）インターフェース１９５８とを備えてもよい。装置１９００は、Windows Server（登録商標）、Mac OS X （登録商標）、Unix（登録商標）、Linux（登録商標）、Free BSD（登録商標）などのメモリ１９３２に記憶されたオペレーティングシステムに基づいて動作されてもよい。
【０１０８】
本開示の例示的な実施形態においては、例えば、命令を含むメモリ８０４によって非一時的なコンピュータ可読記憶媒体も提供される。前記命令は、前述した方法を行うための、装置８００のプロセッサ８２０によって実行可能である。例えば、前記方法は、通知メッセージをクラウドサーバに送信すること、ここで、通知メッセージは、以下の情報項目：住宅制御装置のアドレス情報、を含む；及び、アドレス情報に対応するクラウドサーバから送信された設備制御プロンプト情報を受信すること、を含む。設備制御プロンプト情報は、対応するユーザに、対象物を処理するために当該ユーザに属する住宅設備を起動するように促すよう構成されている。設備制御プロンプト情報は、住宅設備によって報告されるとともにクラウドサーバによって受信された対象物の対象物品質データが閾値より低いとき、クラウドサーバから送信される。対象物品質データを報告する住宅設備は、住宅制御装置にバインドされた住宅設備、又は住宅制御装置がある特定の地域に位置する他の住宅設備を含んでいる。例えば、非一時的なコンピュータ可読記憶媒体は、ＲＯＭ、ＲＡＭ、ＣＤ−ＲＯＭ、磁気テープ、フロッピー（登録商標）ディスク、光データ記憶装置等であってもよい。
【０１０９】
本発明の他の実施形態は、ここに開示された本発明の明細書及びプラクティスの考慮から当業者には明らかであろう。本願は、本発明の一般的な原理に従う任意の変形、使用、又は適応をカバーし、当該技術分野において公知又は慣行の範囲内にある本開示から逸脱するものを含むことが意図される。明細書及び実施例は、以下の特許請求の範囲によって示される本発明の真の範囲及び精神と共に、例示的のみとして考慮されることが意図される。
【０１１０】
本発明が前述され且つ添付の図面に図示された正確な構成に限定されるものではなく、様々な修正及び変更がその範囲から逸脱することなくなされてもよいことは認識されるであろう。本発明の範囲は添付の特許請求の範囲によってのみ限定されることが意図される。
【図１】
2016540460.tif 000006
【図３】
2016540460.tif 000007
【図４】
2016540460.tif 000008
【図５】
2016540460.tif 000009
【図６】
2016540460.tif 000010
【図７】
2016540460.tif 000011
【図８】
2016540460.tif 000012
【図９】
2016540460.tif 000013
【図１０】
2016540460.tif 000014
【図１１】
2016540460.tif 000015
【図１２】
2016540460.tif 000016
【図１３】
2016540460.tif 000017
【図２】
2016540460.tif 000018
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
住宅制御装置から情報項目として前記住宅制御装置のアドレス情報を含む通知メッセージを受信するステップと、
対象物を処理するための住宅設備から対象物品質データを受信するステップであって、前記対象物品質データは前記住宅設備により前記対象物の品質測定を行うことによって得られ、前記住宅設備は前記住宅制御装置にバインドされた住宅設備又は前記住宅制御装置がある特定の地域に位置する住宅設備を含むステップと、
前記対象物品質データが閾値より低いと判断したとき、前記住宅制御装置のアドレス情報に応じて設備制御プロンプト情報を前記住宅制御装置に送信するステップであって、前記設備制御プロンプト情報は、前記住宅制御装置のユーザに、前記ユーザに属する対象物を処理するための住宅設備を起動するように促すよう構成されているステップと、
を含む、設備制御方法。
【請求項２】
前記対象物を処理するための住宅設備は、空気を浄化する空気清浄機、又は水を浄化する浄水器である、請求項１に記載の方法。
【請求項３】
前記通知メッセージの情報項目は、更に、
前記住宅制御装置のユーザの家庭の地理的位置情報、及び前記家庭の住宅設備の設備タイプを含み、
前記対象物品質データが閾値より低いと判断することは、
複数の対象物品質データを取得するステップであって、前記複数の対象物品質データに対応する前記住宅設備の設備タイプは同一であり、前記住宅設備に対応する前記家庭の地理的位置情報は前記家庭が特定の地域にあることを示すステップと、
前記複数の対象物品質データに応じて前記特定の地域に対応する地域品質データを取得するステップと、
前記地域品質データが前記閾値より低いことを判断するステップと、
を含む、請求項１又は２に記載の方法。
【請求項４】
前記住宅制御装置のアドレス情報に応じて設備制御プロンプト情報を前記住宅制御装置に送信するステップは、
前記住宅制御装置のユーザの家庭が前記特定の地域にあり、且つ、前記住宅制御装置にバインドされた住宅設備がない場合において、前記地域品質データが前記閾値より低いとき、前記住宅制御装置のユーザに住宅設備の追加を促すように、前記住宅制御装置に設備制御プロンプト情報を送信するステップ
を含む、請求項１〜３のいずれか１つに記載の方法。
【請求項５】
前記対象物品質データが前記閾値より低いと判断したとき、更に、
前記住宅設備が前記設備制御命令に応じて制御されるように、前記住宅設備に設備制御命令を送信するステップ
を含む、請求項１〜４のいずれか１つに記載の方法。
【請求項６】
情報項目として住宅制御装置のアドレス情報を含む通知メッセージをクラウドサーバに送信するステップと、
前記アドレス情報に応じて前記クラウドサーバから送信された設備制御プロンプト情報を受信するステップであって、前記設備制御プロンプト情報は、住宅制御装置に対応するユーザに、前記ユーザに属する対象物を処理するための住宅設備を起動するように促すよう構成され、前記設備制御プロンプト情報は、前記住宅設備によって報告されるとともに前記クラウドサーバによって受信された対象物の対象物品質データが閾値より低いとき、前記クラウドサーバから送信され、前記対象物品質データを報告する前記住宅設備は、前記住宅制御装置にバインドされた住宅設備、又は前記住宅制御装置がある特定の地域に位置する他の住宅設備を含むステップと、
を含む、設備制御方法。
【請求項７】
前記通知メッセージをクラウドサーバに送信するステップは、
前記住宅制御装置が属するユーザの家庭の住宅設備から送信された前記住宅設備の設備タイプを含む設備情報及び前記家庭の地理的位置情報を前記通知メッセージに持たせて、前記クラウドサーバが前記地理的位置情報及び前記設備タイプに応じて、前記家庭がある特定の地域の地域品質データを取得し、前記地域品質データが前記閾値より低いとき、前記設備制御プロンプト情報を送信するステップ
を含む、請求項６に記載の方法。
【請求項８】
家庭識別子統合指示を受信し、前記家庭識別子統合指示に応じて、統合される個々の家庭識別子を取得するステップと、
統一家庭識別子として前記個々の家庭識別子の１つを使用し、前記クラウドサーバを前記個々の家庭識別子を前記統一家庭識別子に変更させるために、前記クラウドサーバに、前記統一家庭識別子を送信するステップと、
更に含む、請求項６又は７に記載の方法。
【請求項９】
対象物の品質測定を行って前記対象物の対象物品質データを取得するステップと、
前記対象物品質データをクラウドサーバに送信して、前記クラウドサーバが前記対象物品質データが閾値より低いと判断するとき、前記住宅制御装置に設備制御プロンプト情報を、前記住宅制御装置からクラウドサーバに報告された通知メッセージに持たされたアドレス情報に応じて送信するステップであって、前記設備制御プロンプト情報は、前記住宅制御装置のユーザに、前記ユーザに属する前記対象物を処理するための住宅設備を起動するように促すよう構成され、前記住宅制御装置は、前記住宅設備にバインドされた前記住宅制御装置、又は前記住宅設備がある特定の地域に位置する他の住宅制御装置を含むステップと、
を含む、設備制御方法。
【請求項１０】
前記対象物品質データを前記クラウドサーバに送信した後、更に、
前記クラウドサーバから設備制御命令を受信するとともに、前記設備制御命令に応じて設備制御を行うステップ
を含む、請求項９に記載の方法。
【請求項１１】
前記対象物品質データを前記クラウドサーバに送信する前に、更に、
前記住宅制御装置を前記クラウドサーバに前記設備情報を送信させるように、前記設備情報を前記住宅制御装置に送信するステップを含み、
前記設備情報は、設備タイプ及び設備識別子を含む、
請求項９又は１０に記載の方法。
【請求項１２】
住宅制御装置から通知メッセージを受信するとともに、対象物を処理するための住宅設備から対象物品質データを受信するように構成されたデータ受信モジュールであって、前記通知メッセージは、前記住宅制御装置のアドレス情報を含み、前記対象物品質データは、前記住宅設備により前記対象物の品質測定を行うことによって取得され、前記住宅設備は、前記住宅制御装置にバインドされた住宅設備又は前記住宅制御装置がある特定の地域に位置する住宅設備を含む、データ受信モジュールと、
前記対象物品質データが閾値より低いと判断するとき、前記住宅制御装置のアドレス情報に応じて前記住宅制御装置に、設備制御プロンプト情報を送信するように構成されたデータ処理モジュールであって、前記設備制御プロンプト情報は、前記住宅制御装置のユーザに、前記ユーザに属する前記対象物を処理するための住宅設備を起動するように促すよう構成された、データ処理モジュールと、
を備える、クラウドサーバ。
【請求項１３】
前記データ処理モジュールは、
前記データ受信モジュールによって受信された前記対象物品質データから複数の対象物品質データを取得するように構成されたデータ取得ユニットであって、前記複数の対象物品質データに対応する前記住宅設備の設備タイプは同一であり、前記住宅設備に対応する家庭の地理的位置情報は、前記家庭が特定の地域にあることを示すデータ取得ユニットと、
前記複数の対象物品質データによって前記特定の地域に対応する地域品質データを取得し、前記地域品質データが前記閾値より低いことを判断するように構成されたデータ計算ユニットと、
前記住宅制御装置のユーザの家庭が前記特定の地域にあり、前記住宅制御装置にバインドされた住宅設備がなく、且つ、前記地域品質データが前記閾値より低いと前記データ計算ユニットが判断したとき、前記住宅制御装置のユーザに住宅設備の追加を促すように、前記住宅制御装置に前記設備制御プロンプト情報を送信するように構成された警告通知ユニットと、
を備える、請求項１２に記載のサーバ。
【請求項１４】
前記データ処理モジュールは、更に、前記住宅設備が設備制御命令によって制御されるために、前記住宅設備に前記設備制御命令を送信するように構成された設備制御ユニットを備える、請求項１２又は１３に記載のサーバ。
【請求項１５】
情報項目として住宅制御装置のアドレス情報を含む通知メッセージをクラウドサーバに送信するように構成された情報送信モジュールと、
前記アドレス情報に応じて前記クラウドサーバから送信された設備制御プロンプト情報を受信するように構成された情報受信モジュールであって、前記設備制御プロンプト情報は、住宅制御装置に対応するユーザに、前記ユーザに属する対象物を処理するための住宅設備を起動するように促すよう構成され、前記設備制御プロンプト情報は、前記住宅設備によって報告され且つ前記クラウドサーバに受信された前記対象物の対象物品質データが閾値より低いとき、前記クラウドサーバから送信され、前記対象物品質データを報告する住宅設備は、前記住宅制御装置にバインドされた住宅設備、又は前記住宅制御装置がある特定の地域に位置する他の住宅設備を含む、情報受信モジュールと、
を備える、住宅制御装置。
【請求項１６】
前記情報送信モジュールは、更に、前記通知メッセージ中に、前記住宅制御装置が属するユーザの家庭における住宅設備から送信された設備情報、及び、前記家庭の地理的位置情報を持たせるように構成され、前記設備情報は、前記住宅設備の設備タイプを含み、前記クラウドサーバは、前記地理的位置情報及び前記設備タイプに応じて前記家庭がある特定の地域の地域品質データを取得し、前記地域品質データが前記閾値より低いとき、前記設備制御プロンプト情報を送信する、
請求項１５に記載の装置。
【請求項１７】
家庭識別子統合指示を受信し、前記家庭識別子統合指示に応じて、統合される個々の家庭識別子を取得し、統一家庭識別子として前記個々の家庭識別子の１つを使用するように構成された情報処理モジュールを更に備え、
前記情報送信モジュールは、更に、前記クラウドサーバを前記個々の家庭識別子を前記統一家庭識別子に変更させるために、前記クラウドサーバに、前記統一家庭識別子を送信するように構成されている、
請求項１５又は１６に記載の装置。
【請求項１８】
対象物の品質測定を行って前記対象物の対象物品質データを取得するように構成された検知モジュールと、
前記対象物品質データをクラウドサーバに送信して、前記クラウドサーバが前記対象物品質データが閾値より低いと判断するとき、前記住宅制御装置に設備制御プロンプト情報を、前記住宅制御装置からクラウドサーバに報告された通知メッセージに持たされたアドレス情報に応じて送信するように構成された通信モジュールであって、前記設備制御プロンプト情報は、前記住宅制御装置のユーザに、前記ユーザに属する前記対象物を処理するための住宅設備を起動するように促すよう構成され、前記住宅制御装置は、前記住宅設備にバインドされた住宅制御装置、又は前記住宅設備がある特定の地域に位置する他の住宅制御装置を含む、通信モジュールと、
を備える、住宅設備。
【請求項１９】
前記通信モジュールは、設備情報を前記住宅制御装置に送信するように構成された装置通信ユニットを備え、
前記設備情報は、前記住宅制御装置を前記クラウドサーバに前記設備情報を送信させるように、前記住宅設備の設備タイプ及び設備識別子を含む、
請求項１８に記載の設備。
【請求項２０】
前記通信モジュールは、更に、前記クラウドサーバから設備制御命令を受信するように構成されたクラウド通信ユニットを備え、
前記設備は、更に、前記設備制御命令に応じて前記設備を制御するように構成された制御モジュールを備える、請求項１９に記載の設備。
【請求項２１】
コンピュータを動作させるとき、請求項１〜１１のいずれか１つに記載の設備制御方法をコンピュータに実行させるコンピュータプログラム。
【請求項２２】
請求項２１に記載のコンピュータプログラムが記憶されたコンピュータ可読記憶媒体。
【手続補正２】
【補正対象書類名】明細書
【補正対象項目名】００８７
【補正方法】変更
【補正の内容】
【００８７】
情報送信モジュール８１は、更に、クラウドサーバに、統一家庭識別子を送信するように構成され、クラウドサーバは、個々の家庭識別子を統一家庭識別子に変更する。
【手続補正書】
【提出日】平成27年10月15日(2015.10.15)
【手続補正１】
【補正対象書類名】特許請求の範囲
【補正対象項目名】請求項４
【補正方法】変更
【補正の内容】
【請求項４】
前記住宅制御装置のアドレス情報に応じて設備制御プロンプト情報を前記住宅制御装置に送信するステップは、
前記住宅制御装置のユーザの家庭が前記特定の地域にあり、且つ、前記住宅制御装置にバインドされた住宅設備がない場合において、前記地域品質データが前記閾値より低いとき、前記住宅制御装置のユーザに住宅設備の追加を促すように、前記住宅制御装置に設備制御プロンプト情報を送信するステップ
を含む、請求項３に記載の方法。
【国際調査報告】
2016540460.tif 000019
2016540460.tif 000020
2016540460.tif 000021
2016540460.tif 000022